(57)【要約】  【課題】  ユーザーの利便性及び操作性を向上させる。  【解決手段】  表示部４を備え、本体２０とキー操作部５とが、スライド可能に接続され、スライドにより第１の状態から第２の状態に変化する携帯電話機であって、表示部４以外の場所に設けられるライト部１６と、前記第２の状態を検知してライト部１６を発光させる主制御部と、を備える。【選択図】  図５
2005354557.tif 000002
【特許請求の範囲】
【請求項１】
表示部を備え、第１の筐体と第２の筐体とが、展開、スライド又は回転可能に接続され、前記展開、スライド又は回転により第１の状態から第２の状態に変化する情報端末であって、
前記表示部以外の場所に設けられる発光手段と、
前記第２の状態を検知して前記発光手段を発光させる制御手段と、
を備える情報端末。
【請求項２】
請求項１記載の情報端末であって、
前記制御手段は、前記発光手段の発光開始から一定時間経過後に発光を停止させる情報端末。
【請求項３】
請求項１記載の情報端末であって、
前記制御手段は、前記第１の状態を検知して前記発光手段の発光を停止させる情報端末。
【請求項４】
請求項１ないし３のいずれか１項記載の情報端末であって、
前記発光手段は、ＬＥＤである情報端末。
【請求項５】
請求項１ないし４のいずれか１項記載の情報端末であって、
カメラユニットを備え、
前記発光手段は、カメラ撮影用の補助ライトである情報端末。
【請求項６】
表示部と、前記表示部以外の場所に設けられる発光手段とを備え、第１の筐体と第２の筐体とが、展開、スライド又は回転可能に接続され、前記展開、スライド又は回転により第１の状態から第２の状態に変化する情報端末の発光制御プログラムであって、コンピュータを、
前記第２の状態を検知して前記発光手段を発光させる制御手段として機能させるための発光制御プログラム。
【請求項７】
請求項６記載の発光制御プログラムであって、
前記制御手段は、前記発光手段の発光開始から一定時間経過後に発光を停止させる発光制御プログラム。
【請求項８】
請求項６記載の発光制御プログラムであって、
前記制御手段は、前記第１の状態を検知して前記発光手段の発光を停止させる発光制御プログラム。
【請求項９】
カメラユニットと、カメラ撮影用の補助ライトとを備え、第１の筐体と第２の筐体とが、展開、スライド又は回転可能に接続され、前記展開、スライド又は回転により第１の状態から第２の状態に変化する情報端末の発光制御プログラムであって、コンピュータを、
前記第２の状態を検知して前記補助ライトを発光させる制御手段として機能させるための発光制御プログラム。
【発明の詳細な説明】
【技術分野】
【０００１】
本発明は、第１の筐体と第２の筐体とが、展開、スライド又は回転可能に接続される情報端末及びその発光制御プログラムに関する。
【背景技術】
【０００２】
従来から、携帯電話機には、その筐体が一体型（ストレートタイプ）の他、小形化の要求に対応するために２つのユニットで構成され、両ユニットが結合部材で結合されて折り畳み可能な折り畳み式構造やスライド式構造のものがある。
【０００３】
図７は、スライド式の携帯電話機が伸展された状態を示す外観図であり、（ａ）は背面図、（ｂ）は側面図、（ｃ）は正面図である。スライド式の携帯電話機は、正面側ユニット５０と、裏面側ユニット６０とから構成されている。図７（ｂ）に示すように、裏面側ユニット６０には、アンテナ５６が取り付けられ、正面側ユニット５０の裏側の長軸方向にスライド自在に係合されている。また、裏面側ユニット６０の一側面には、同裏面側ユニット６０に対する正面側ユニット５０の係止状態を解除するためのスライドボタン５７が配設されている。また、図７（ｃ）に示すように、正面側ユニット５０は、第１主表面５０ａを有し、表示部５１、副操作部５２、および受話部５３を備えている。
【０００４】
そして、このようなスライド式の携帯電話機において、開閉時の音選択、およびオープン時（伸展時）の自動通話着信、クローズ時（縮退時）の自動終話、およびクローズ時のキーガード動作等が行われる（例えば、特許文献１参照）。
【０００５】
【特許文献１】特開２００３−２８９３４８号公報
【発明の開示】
【発明が解決しようとする課題】
【０００６】
しかしながら、上記従来の携帯電話機にあっては、スライド機構に連携した携帯電話機の機能が、単純な着信音の選択や着信および終話の設定等通信に関するものに限られており、ユーザの利便性にあまり貢献していないという事情があった。
【０００７】
本発明は、上記従来の事情に鑑みてなされたものであって、ユーザーの利便性及び操作性を向上させることができる情報端末及び発光制御プログラムを提供することを目的としている。
【課題を解決するための手段】
【０００８】
本発明の情報端末は、表示部を備え、第１の筐体と第２の筐体とが、展開、スライド又は回転可能に接続され、前記展開、スライド又は回転により第１の状態から第２の状態に変化する情報端末であって、前記表示部以外の場所に設けられる発光手段と、前記第２の状態を検知して前記発光手段を発光させる制御手段と、を備える。上記構成によれば、発光手段を備えることで、通信用途以外に、懐中電灯等の新たな用途を提供することができる為、ユーザーの利便性を向上させることができる。また、第２の状態を検知して発光手段を発光させる制御手段を備えることにより、情報端末の展開、スライド又は回転時に発光手段を発光させることができる為、操作性を向上させることができる。
【０００９】
また、本発明の情報端末は、前記制御手段が、前記発光手段の発光開始から一定時間経過後に発光を停止させるものである。上記構成によれば、制御手段が、発光手段の発光開始から一定時間経過後に発光を停止させることにより、電力消費量を抑えることができる。
【００１０】
また、本発明の情報端末は、前記制御手段が、前記第１の状態を検知して前記発光手段の発光を停止させるものである。上記構成によれば、制御手段が、第１の状態を検知して発光手段の発光を停止させることにより、発光手段の発光を情報端末の使用態様に連動させることができる。
【００１１】
また、本発明の情報端末は、前記発光手段が、ＬＥＤであるものである。上記構成によれば、発光手段が、ＬＥＤであることにより、コンパクトな構成で高輝度の光を得ることができる。
【００１２】
また、本発明の情報端末は、カメラユニットを備え、前記発光手段が、カメラ撮影用の補助ライトであるものである。上記構成によれば、発光手段が、カメラ撮影用の補助ライトであることにより、カメラ撮影用の補助として設けられたライトを、撮影時以外に独立して発光させることができる。
【００１３】
また、本発明の発光制御プログラムは、表示部と、前記表示部以外の場所に設けられる発光手段とを備え、第１の筐体と第２の筐体とが、展開、スライド又は回転可能に接続され、前記展開、スライド又は回転により第１の状態から第２の状態に変化する情報端末の発光制御プログラムであって、コンピュータを、前記第２の状態を検知して前記発光手段を発光させる制御手段として機能させるためのものである。
【００１４】
また、本発明の発光制御プログラムは、前記制御手段が、前記発光手段の発光開始から一定時間経過後に発光を停止させるものである。また、本発明の発光制御プログラムは、前記制御手段が、前記第１の状態を検知して前記発光手段の発光を停止させるものである。
【００１５】
さらに、本発明の発光制御プログラムは、カメラユニットと、カメラ撮影用の補助ライトとを備え、第１の筐体と第２の筐体とが、展開、スライド又は回転可能に接続され、前記展開、スライド又は回転により第１の状態から第２の状態に変化する情報端末の発光制御プログラムであって、コンピュータを、前記第２の状態を検知して前記補助ライトを発光させる制御手段として機能させるためのものである。
【発明の効果】
【００１６】
本発明によれば、発光手段を備えることで、通信用途以外に、懐中電灯等の新たな用途を提供することができる為、ユーザーの利便性を向上させることができる。また、第２の状態を検知して発光手段を発光させる制御手段を備えることにより、情報端末の展開、スライド又は回転時に発光手段を発光させることができる為、操作性を向上させることができる。
【発明を実施するための最良の形態】
【００１７】
（第１の実施形態）
本実施形態では、表示部を備え、本体（第１の筐体）とキー操作部を有するカバー部（第２の筐体）とが、スライド可能に接続され、スライドにより縮退状態（第１の状態）から伸展状態（第２の状態）に変化するカメラ撮影機能付き携帯電話機であって、表示部以外の場所に設けられるカメラ撮影用のライト部と、伸展状態を検知してライト部を発光させる主制御部とを備える携帯電話機の例を説明する。
【００１８】
図１は、本発明の第１の実施形態を説明するための携帯電話機の概略構成を示すブロック図である。図１に示す携帯電話機は、基地局（図示せず）との間で電波の授受を行うアンテナ１、受話用のスピーカ２、送話用のマイク３、液晶ディスプレイ等で構成され電話番号や操作メニューなどを表示する表示部４、電話番号や文書の入力ならびに表示部４に表示された操作メニューの選択を行うキー操作部５、携帯電話機の全体の動作を制御する制御手段である主制御部（ＣＰＵ）６、マイク３から入力された音声をデジタルデータに変換し、デジタル化された音声データを音声信号に変換してスピーカ２に出力する音声制御部７、基地局とアンテナ１との間で授受される無線信号の変復調や音声制御部７で処理された音声データあるいは主制御部６で処理されたデータを基地局との間で転送するために通信方式に応じた処理を行う無線通信部８、フラッシュメモリあるいはマスクＲＯＭ等で構成され、主制御部６によって実行される制御プログラムや制御プログラムの実行に必要な定数データを格納し、かつ内部に携帯電話機の操作メニューを表示するための表示情報を備えるプログラムメモリ部９、ＤＲＡＭ等で構成され、主制御部６が制御プログラムを実行する際に発生する一時的なデータなどを保管する作業用メモリ部１０、ＡＣアダプタ（図示省略）が接続される電源接続部１５、電源接続部１５を介してＡＣアダプタから供給される電力を蓄える電池１２、電源接続部１５に接続されたＡＣアダプタあるいは電池１２から供給される電力を安定化させる安定化部１３、携帯電話機の各ブロックに供給する電力を制御する電力制御部１４、ＣＣＤカメラ等で構成される撮像部１７、撮影時の補助光源として使用されるとともに、携帯電話機の機構変化に連動して点灯可能なライト部１６、スライド操作（キーパッドの開閉）が行われたという携帯電話機の機構変化を検出する検出スイッチ１１を具備している。
【００１９】
図２は、本実施形態のスライド式携帯電話機におけるライト部１６のオン／オフ切り替えのメニュー構成を示す図である。スライド式携帯電話機のメニュー構成は、図２（ａ）に示すような階層構造になっている。ライト部１６のオン／オフを設定する場合は、メインメニューである「My Phone」から、「Slide settings」→「Open action」→「Photo light」を選択することにより本機能を有効とする。
【００２０】
また、図２（ｂ）は、表示部４においてメインメニューの「Slide settings」を選択している状態を示し、図２（ｃ）は、サブメニューの「Open action」を選択している状態を示し、図２（ｄ）は、さらに下層のサブメニューにおいて「Photo light」を選択している状態を示す。
【００２１】
このように本実施形態のスライド式携帯電話機では、スライド機構の変化に応じてライトを点灯させる機能を有効にするか、あるいは無効にするかを設定する。
【００２２】
図３は、本発明の第１の実施形態を説明するための携帯電話機の動作を示すフローチャートである。図３（ａ）は、本実施形態のスライド式携帯電話機において、スライドオープン動作発生時にライト部１６を発光させる処理の概略を示すフローチャートである。また、図３（ｂ）は、スライドオープン動作から５秒経過後にライト部１６の発光を停止させる処理の概略を示すフローチャートである。
【００２３】
図３（ａ）に示すように、スライド式携帯電話機において、スライドオープン動作が発生すると、主制御部（ＣＰＵ）６は、図２のライトオン／オフ切り替えメニューにおいて設定した「Photo light機能」が有効かどうか判断する（ステップＳ１）。「Photo light機能」が有効の場合（Yes）は、主制御部６はタイマを例えば５秒に設定し（ステップＳ２）、タイマにカウントを開始させるとともに、ライト部１６を点灯させる（ステップＳ３）。
【００２４】
そして、５秒タイマがタイムアウトしたことを検知すると、割り込みをかけて主制御部６に状態遷移を知らせ、図３（ｂ）に示す処理モジュールに飛んで、ライト部１６を消灯させる（ステップＳ４）。
【００２５】
このように本実施形態の携帯電話機によれば、検出スイッチ１１によりスライド式携帯電話機が縮退状態から伸展状態へ変化したことを検知して主制御部６がライト部１６を発光させることにより、暗闇などでユーザが簡単に操作でき、例えば危急の場合であってもとっさの操作で携帯電話機のスライド時にライト部１６を発光させることができる為、ユーザーの利便性及び操作性を向上させることができる。。
【００２６】
また、タイマの時間に応じてライトを消灯させるので、煩わしいキー操作なしでライトを消灯させることができ、ユーザの利便性もしくは操作性を向上させることができるとともに、電力消費量を抑えることができる。
【００２７】
図４は、本実施形態のスライド式携帯電話機においてキー操作部５が閉じられた状態を示す斜視図、図５は、キー操作部５をスライドさせ開いた状態を示す斜視図である。携帯電話機の本体２０側にはその表面にスピーカ２と表示部４があり、他方、キー操作部５側にはキーボタンとマイク３とがある。このキー操作部５は、携帯電話機の本体２０の両側面に設けられたガイドレール２１（図５参照）によって本体２０と結合されている。
【００２８】
ガイドレール２１によって、キー操作部５は、表示部４に沿って平行に移動することができるようになっている。図４において、露出している表示部４には、音声通話時の着呼、発呼に必要な電界強度、電話番号、電池残量表示等が表示される。
【００２９】
キー操作部５をガイドレール２１に沿って引き下げると、図５に示されるように表示部４の全画面が現れ、逆に、キー操作部５をガイドレール２１に沿って引き上げて閉じると、図４に示されるように表示部４の画面の一部が露出した状態で静止する。キー操作部５は、図４および図５の状態で、携帯電話機の本体２０とマイクロコネクター（図示省略）等の手段によって電気的に接続され、入力信号を携帯電話機の本体２０に伝えることができるようになっている。
【００３０】
キー操作部５が完全に開かれた（伸展状態）り、完全に閉じられる（縮退状態）と、検出スイッチ１１によってその状態の変化が検出されるようになっている。検出スイッチ１１による信号は主制御部（ＣＰＵ）６に入力され、ライト部１６の点灯／消灯のトリガとなる。図４（ｂ）に示すように携帯電話機が縮退状態のときはライト部１６が消灯しており、図５（ｂ）に示すように携帯電話機が伸展状態になるとライト部１６が点灯する。
【００３１】
検出スイッチ１１は、例えば、ホール素子を含んで構成され、キー操作部５が引き出され携帯電話機の本体２０から離れた場合に、マグネットの磁界の変化によって所定の出力信号を発生し、携帯電話機の機構変化を検知する。
【００３２】
このように、ライト部１６は、撮像部１７で撮像する際の補助光源として使われるとともに、撮影時以外に独立して発光させることができ、検出スイッチ１１が携帯電話機の機構変化を検知した場合に点灯される。単色光としては発光ダイオード（ＬＥＤ）やキセノン管が用いられ、三原色（ＲＧＢ）のＬＥＤを同時発光させ、白色光あるいは着色光を発光させることもできる。ライト部１６にＬＥＤを用いることにより、コンパクトな構成で高輝度の光を得ることができる。また、点灯プログラムに応じて点滅させたり、モールス信号のＳＯＳパターンで発光させることも可能で、セキュリティー対策として利用することもできる。尚、点灯プログラムは、プログラムメモリ部６に格納されている。
【００３３】
このように本実施形態の携帯電話機によれば、携帯電話機の機構変化を検知してライト部１６を点灯させることができるので、ライト部１６を単なるカメラの付加機能としてではなく、懐中電灯としての機能を持たせることができる。また、煩わしいキー操作なしでライト部１６を点灯させることができるので、ユーザの利便性及び操作性を向上させることができる。
【００３４】
尚、以上、ライト部の発光開始から一定時間経過後に発光を停止させる場合を説明したが、縮退状態を検知してライト部の発光を停止させてもよい。これにより、ライト部の発光を携帯電話機の使用態様に連動させることができる。
【００３５】
（第２の実施形態）
本実施形態では、表示部を備え、第１の筐体と第２の筐体とが、展開可能に接続され、展開により折り畳んだ状態（第１の状態）から開いた状態（第２の状態）に変化するカメラ撮影機能付き携帯電話機であって、表示部以外の場所に設けられるカメラ撮影用のライト部と、開いた状態を検知してライト部を発光させる主制御部とを備える携帯電話機の例を説明する。
【００３６】
図６は、本発明の第２の実施形態を説明するための折り畳み式携帯電話機の斜視図である。図６（ａ）は折り畳んだ状態での背面側からの外観を示し、図６（ｂ）は開いた状態での背面側からの外観を示す。
【００３７】
折り畳み式携帯電話機は、第１の筐体２５と第２の筐体２６からなり、第１の筐体２５と第２の筐体２６は、ヒンジ２７を介して連結され、ヒンジ２７を軸として角変位自在に動くことで折り畳み可能に構成されている。折り畳み式携帯電話機は、第２の筐体２６に第２表示部４を備える。第２表示部４は、携帯電話機が折り畳まれた時に外側に位置するように配置されている。第２表示部４は、液晶ディスプレイやＥＬディスプレイなどで実現され、主制御部６から送られてくる画像データに基づく画像を表示する。
【００３８】
第１の筐体２５と第２の筐体２６が折り畳まれる部分で、ヒンジ２７の近傍に検出スイッチ１１（図示省略）が設けられる。検出スイッチ１１は、携帯電話機が折り畳まれているか否かを検出する検出手段である。第１の筐体２５内面（図の裏側）のヒンジ２７の近傍には小さな突起が形成されており、第２の筐体２６内面のヒンジ２７の近傍には小さな孔が形成されている。孔の内部には押しボタンスイッチが設けられている。携帯電話機が折り畳まれると、第１の筐体２５の突起が第２の筐体２６の孔に入り、押しボタンスイッチが働き、主制御部６によって携帯電話機が折り畳まれていることを判断する。
【００３９】
検出スイッチ１１による検出信号は主制御部６に供給され、主制御部６は、ライト点灯プログラムに従い、図６（ａ）に示すように携帯電話機が折り畳まれているときはライト部１６を消灯させ、図６（ｂ）に示すように携帯電話機が開かれたときに、開かれた状態を検知してライト部１６を点灯させることができる。尚、ライト部１６の消灯については、上述したように、発光開始から一定時間経過後に発光を停止させてもよいし、発光開始後、再度携帯電話機の機構変化を検知して発光を停止させてもよい。
【００４０】
このように本実施形態の携帯電話機によれば、携帯電話機の機構変化を検知してライト部１６の点灯を行うことにより、ユーザの利便性及び操作性を向上させることができる。
【００４１】
尚、カメラ撮影機能付き携帯電話機に備えられたフォトライトを独立して発光させるために、点灯／消灯をボタン操作で行うことが考えられるが、フォトライトの点灯／消灯を簡単に行えるように、専用キーを割り当てたり、新規に追加する場合は、ボタン数の増加となり、小型化の要求が強い携帯電話機には好ましくない。また、各ボタンの形状を小さくすると操作性が悪くなる。また、１つのボタンに多くの機能を割り当てるマルチファンクション（Multi Function）を採用している場合は、特定の機能、例えばキーガード（Key Guard）との競合により、必ずしも起動操作が容易になるとは限らない。
【００４２】
一方、スライドや展開といった携帯電話機の機構変化を検知してライトの点灯を行う本実施形態の携帯電話機によれば、ボタンを探す動作なしで、携帯電話機の使用時に通常行う動作だけでライト部を発光させることができる為、ユーザーの利便性及び操作性を向上させることができる。
【００４３】
以上の説明では、第１の筐体と第２の筐体がスライド又は展開可能に接続される例を説明したが、第１の筐体と第２の筐体が回転可能に接続されてもよい。この場合、第１及び第２の筐体が重なった状態から一方の筐体を回転させた状態への形態の変化を検知する。尚、第１及び第２の筐体のいずれか一方が操作部を保護するカバー等であってもよい。
【産業上の利用可能性】
【００４４】
本発明は、発光手段を備えることで、通信用途以外に、懐中電灯等の新たな用途を提供することができる為、ユーザーの利便性を向上させることができる効果、また、第２の状態を検知して発光手段を発光させる制御手段を備えることにより、情報端末の展開、スライド又は回転時に発光手段を発光させることができる為、操作性を向上させることができる効果を有し、第１の筐体と第２の筐体とが、展開、スライド又は回転可能に接続される情報端末及びその発光制御プログラム等に有用である。
【図面の簡単な説明】
【００４５】
【図１】本発明の第１の実施形態を説明するための携帯電話機の概略構成を示すブロック図
【図２】本発明の第１の実施形態におけるライト部のオン／オフ切り替えのメニュー構成を示す図
【図３】本発明の第１の実施形態を説明するための携帯電話機の動作を示すフローチャート
【図４】本発明の第１の実施形態における縮退状態のスライド式携帯電話機の概略構成を示す斜視図
【図５】本発明の第１の実施形態における伸展状態のスライド式携帯電話機の概略構成を示す斜視図
【図６】本発明の第２の実施形態における折り畳み式の携帯電話機の概略構成を示す斜視図
【図７】従来のスライド式携帯電話機の概略構成を示す図
【符号の説明】
【００４６】
１  アンテナ
２  スピーカ
３  マイク
４  表示部
５  キー操作部
６  主制御部
７  音声制御部
８  無線通信部
９  プログラムメモリ部
１０  作業メモリ部
１１  検出スイッチ
１２  電池
１３  安定化部
１４  電力制御部
１５  電源接続部
１６  ライト部
１７  撮像部
２０  携帯電話機本体
２１  ガイドレール
２５  第１の筐体
２６  第２の筐体
２７  ヒンジ
５０  正面側ユニット
５０ａ  第１主表面
５１  表示部
５２  副操作部
５３  受話部
５６  アンテナ
５７  スライドボタン
【図１】
2005354557.tif 000003
【図２】
2005354557.tif 000004
【図３】
2005354557.tif 000005
【図４】
2005354557.tif 000006
【図５】
2005354557.tif 000007
【図６】
2005354557.tif 000008
【図７】
2005354557.tif 000009